(57)【要約】【課題】装身具を固定するための止め金具を必要とせず、さらに、装身具にとっては重要な要素の一つであるバリエーションを増やすことを可能にする装身具を提供する。【解決手段】複数個の真珠１０１と真珠１０１をつなげる線状体とからなる装身具１００において、相互に隣接する真珠１０１は２本の線状体１０２ａ、１０２ｂによりつなげられている。２本の線状体１０２ａ、１０２ｂは各真珠１０１の間でループを形成する。装身具１００をユーザーの首に掛けた後、本装身具の一端側のループに他端側のループを挿入することにより、専用の止め金具を用いることなく、装身具１００をユーザーの首の周りに保持することができる。【選択図】    図１
2004223146.tif 000002
【特許請求の範囲】
【請求項１】
複数個の装飾具と、前記装飾具をつなげる線状体と、からなる装身具において、
前記装飾具のうち、少なくとも一組の相互に隣接する装飾具は２本以上の線状体によりつなげられており、前記２本以上の線状体のうちの少なくとも何れか一つには中間止め具が取り付けられていることを特徴とする装身具。
【請求項２】
複数個の装飾具と、前記装飾具をつなげる線状体と、からなる装身具において、
前記装飾具は、前記線状体に対して摺動可能な少なくとも一つの第一スライド体からなり、
前記線状体に対して摺動可能な二つの第二スライド体を備え、
前記二つの第二スライド体は前記第一スライド体を左右から挟み込むことにより、前記スライド体を固定するものであることを特徴とする装身具。
【請求項３】
前記第一スライド体にはその軸線方向に延びる二つの貫通孔が形成されており、前記第二スライド体にはその軸線方向に延びる一つの貫通孔が形成されており、前記二つの貫通孔の間のピッチは前記一つの貫通孔の直径よりも大きいことを特徴とする請求項２に記載の装身具。
【請求項４】
前記第一スライド体にはその軸線方向に延びる二つの貫通孔が形成されており、前記第二スライド体にはその軸線方向に延びる二つの貫通孔が形成されており、前記第一スライド体の二つの貫通孔の間のピッチは前記第二スライド体の二つの貫通孔の間のピッチよりも大きいことを特徴とする請求項２に記載の装身具。
【請求項５】
前記装飾具のうち、少なくとも一組の相互に隣接する装飾具は２本以上の線状体によりつなげられており、前記２本以上の線状体のうちの少なくとも何れか一つには中間止め具が取り付けられていることを特徴とする請求項２乃至４の何れか一項に記載の装身具。
【請求項６】
前記中間止め具は、その線状体に対して摺動可能な少なくとも一つのスライド体からなるものであることを特徴とする請求項１または５に記載の装身具。
【請求項７】
前記中間止め具は前記２本以上の線状体のうち少なくとも何れか２本の線状体に取り付けられており、前記中間止め具は、それらの線状体に対して摺動可能な少なくとも一つのスライド体からなるものであることを特徴とする請求項１または５に記載の装身具。
【請求項８】
前記スライド体には貫通孔が形成されており、前記貫通孔に前記線状体を通すことにより、前記スライド体は前記線状体に対して摺動可能であるように構成されていることを特徴とする請求項６または７に記載の装身具。
【請求項９】
前記線状体は、芯糸と、前記芯糸を囲む外皮とからなる複合線状体からなるものであることを特徴とする請求項１乃至８の何れか一項に記載の装身具。
【請求項１０】
前記線状体は直線記憶合金からなるものであることを特徴とする請求項１乃至９の何れか一項に記載の装身具。
【発明の詳細な説明】
【０００１】
【発明の属する技術分野】
本発明は、貴金属、宝石その他の装飾具を連ねた連珠ネックレス、連珠ブレスレット、連珠ペンダントその他の装身具に関する。
【０００２】
【従来の技術】
従来の装身具の一例を図１７に示す。
【０００３】
図１７に示した装身具９００は、ほぼ等間隔に配置された複数個の真珠９０１と、これらの真珠９０１をつなげるワイヤ９０２と、ワイヤ９０２の両端に取り付けられた装飾用金具９０３と、から構成されている。
【０００４】
各真珠９０１にはほぼ中央に貫通孔が形成されており、ワイヤ９０２は各真珠９０１の貫通孔に通され、接着剤その他の適当な手段を用いて、各真珠９０１に対して固定されている。ワイヤ９０２の両端に取り付けられた装飾用金具９０３はワイヤ９０２の両端を装飾するとともに、ワイヤ９０２の両端をつかみやすくするための重りとしても機能している。
【０００５】
図１８は、図１７に示した装身具９００とともに用いる止め金具９１０である。
【０００６】
止め金具９１０は、円弧状の本体９１１と、本体９１１に対して回動自在に本体９１１の一端に取り付けられている可動体９１２と、から構成されている。
【０００７】
可動体９１２は、実線で示す閉位置及び破線で示す開位置の二つの位置をとることができるように構成されている。可動体９１２は、その閉位置においては、その自由端において本体９１１と接触し、本体９１１とともに閉空間９１３を形成している。また、可動体９１２は、その開位置においては、その自由端が本体９１１から離れ、閉空間９１３は形成されない。
【０００８】
可動体９１２は、その内部に埋め込まれたバネ（図示せず）により、常に閉位置に向かって付勢されており、常態においては、閉位置を維持している。
【０００９】
図１９は、図１７に示した装身具９００の使用方法を示す概略図である。
【００１０】
先ず、装身具９００をユーザーの首の周囲に掛け渡す。次いで、止め金具９１０の可動体９１２を開位置に移行させておき、閉空間９１３となるべき空間内に２本のワイヤ９０２を納め、その後、可動体９１２を閉位置に移行させる。これらの動作により、２本のワイヤ９０２は止め金具９１０により一束にまとめられ、装身具９００をネックレスあるいはペンダントとして用いることができる。
【００１１】
【発明が解決しようとする課題】
しかしながら、図１７に示した従来の装身具９００は以下のような問題点を有するものであった。
【００１２】
第一の問題点は、止め金具９１０を常に必要とする点である。
【００１３】
図１９に示したように、装身具９００をネックレスあるいはペンダントとして使用するためには、止め金具９１０を必要とする。このため、止め金具９１０を常に携帯していることが必要となるが、ユーザーにとっては、それは煩わしいことであり、さらに、止め金具９１０は装身具９００とは別体であるため、紛失してしまうおそれもある。
【００１４】
第二の問題点は、バリエーションに乏しいという点である。
【００１５】
図１７に示した従来の装身具９００は、図１９に示した方法でしか使用できないため、例えば、他の装身具や服飾品と組み合わせて用いることにより、斬新さを出したり、ユーザーの嗜好に合わせたりすることができなかった。このため、装身具９００の使用範囲は狭く、装身具にとっては重要な要素の一つであるバリエーションに欠けていた。
【００１６】
本発明は、以上のような従来の装身具における問題点に鑑みてなされたものであり、装身具を固定するための止め金具を必要とせず、さらに、装身具にとっては重要な要素の一つであるバリエーションを増やすことを可能にする装身具を提供することを目的とする。
【００１７】
【課題を解決するための手段】
この目的を達成するため、本発明は、複数個の装飾具と、前記装飾具をつなげる線状体と、からなる装身具において、前記装飾具のうち、少なくとも一組の相互に隣接する装飾具は２本以上の線状体によりつなげられており、前記２本以上の線状体のうちの少なくとも何れか一つには中間止め具が取り付けられていることを特徴とする装身具を提供する。
【００１８】
さらに、本発明は、複数個の装飾具と、装飾具をつなげる線状体と、からなる装身具において、装飾具は、線状体に対して摺動可能な少なくとも一つの第一スライド体からなり、線状体に対して摺動可能な二つの第二スライド体を備え、
二つの第二スライド体は第一スライド体を左右から挟み込むことにより、スライド体を固定するものであることを特徴とする装身具を提供する。
【００１９】
例えば、第一スライド体にはその軸線方向に延びる二つの貫通孔が形成され、第二スライド体にはその軸線方向に延びる一つの貫通孔が形成される。この場合、二つの貫通孔の間のピッチは一つの貫通孔の直径よりも大きい。
【００２０】
あるいは、第一スライド体にはその軸線方向に延びる二つの貫通孔が形成され、第二スライド体にはその軸線方向に延びる二つの貫通孔が形成される。この場合、第一スライド体の二つの貫通孔の間のピッチは第二スライド体の二つの貫通孔の間のピッチよりも大きい。
【００２１】
上記の装身具においては、装飾具のうち、少なくとも一組の相互に隣接する装飾具は２本以上の線状体によりつなげられており、２本以上の線状体のうちの少なくとも何れか一つには中間止め具が取り付けられていることが好ましい。
【００２２】
中間止め具は、例えば、その線状体に対して摺動可能な少なくとも一つのスライド体から構成することができる。
【００２３】
中間止め具は２本以上の線状体のうち少なくとも何れか２本の線状体に取り付けルことができる。この場合、中間止め具は、それらの線状体に対して摺動可能な少なくとも一つのスライド体から構成することができる。
【００２４】
例えば、スライド体には貫通孔が形成されており、貫通孔に線状体を通すことにより、スライド体は線状体に対して摺動可能であるように構成される。
【００２５】
線状体としては、芯糸と、芯糸を囲む外皮とからなる複合線状体を用いることができる。
【００２６】
あるいは、線状体としては、直線記憶合金ワイヤを用いることができる。
【００２７】
【発明の実施の形態】
（第一の実施形態）
図１は、本発明の第一の実施形態に係る装身具１００を示す平面図である。
【００２８】
装身具１００は、複数個の装飾具としての真珠１０１と、隣接する真珠１０１をつなげる２本の線材１０２ａ、１０２ｂと、２本の線材１０２ａ、１０２ｂを各真珠１０１に固定する止め金具１０３と、から構成されている。
【００２９】
図２は、止め金具１０３を介して２本の線材１０２ａ、１０２ｂを各真珠１０１に固定する状況を示す断面図である。
【００３０】
各真珠１０１にはその中心を通る貫通孔１０１ａが形成されている。
【００３１】
２本の線材１０２ａ、１０２ｂの各々は、芯糸としての金属線１０４と、金属線１０４との間にスペースをあけて金属線１０４を囲む外皮としてのコイル状金属体１０５と、から構成されている。
【００３２】
止め金具１０３は金属からなり、球形をなしている。止め金具１０３には相互に平行な二つの貫通孔１０３ａ、１０３ｂが形成されており、各貫通孔１０３ａ、１０３ｂの両端における止め金具１０３の開口部にはざぐり加工または面取り加工が施されている。二つの貫通孔１０３ａ、１０３ｂを形成した結果として、それらの間には壁部１０３ｃが形成される。
【００３３】
２本の線材１０２ａ、１０２ｂは、以下のようにして、各真珠１０１に固定される。
【００３４】
先ず、２本の線材１０２ａ、１０２ｂの各々から外皮としてのコイル状金属体１０５を取り外しておき、金属線１０４のみを取り出しておく。
【００３５】
次いで、図２に示すように、例えば、線材１０２ａの金属線１０４を止め金具１０３Ａ（図２の右側に位置する止め金具１０３）の貫通孔１０３ａに通した後、壁部１０３ｃの周囲に金属線１０４を一回または複数回巻き付け、真珠１０１の貫通孔１０１ａに通す。次いで、この金属線１０４を止め金具１０３Ｂ（図２の左側に位置する止め金具１０３）の貫通孔１０３ａに通した後、止め金具１０３Ｂの壁部１０３ｃの周囲に金属線１０４を一回または複数回巻き付け、再び、止め金具１０３Ｂの貫通孔１０３ａから外部に出す。
【００３６】
この後、金属線１０４にコイル状金属体１０５をかぶせる。
【００３７】
他方の線材１０２ｂについても同様に行う。
【００３８】
このように、線材１０２ａ、１０２ｂを構成する各金属線１０４を止め金具１０３Ａ、１０３Ｂの内部の壁部１０３ｃに巻き付けることにより、各線材１０２ａ、１０２ｂを止め金具１０３Ａ、１０３Ｂを介して各真珠１０１に対して固定することができる。
【００３９】
図３は、本実施形態に係る装身具１００の使用例を示す概略図である。
【００４０】
本実施形態に係る装身具１００においては、各真珠１０１が２本の線材１０２ａ、１０２ｂを介して連結されている。このため、隣接する二つの真珠１０１の間には、２本の線材１０２ａ、１０２ｂにより、ループを形成することが可能である。
【００４１】
このため、図３に示すように、本実施形態に係る装身具１００をユーザーの首の周りに掛けた後、装身具１００の一端側に形成されているループ１０６ａの間に装身具１００の他端側に形成されているループ１０６ｂを挿入することにより、図１８に示した止め金具９１０を用いることなく、装身具１００をユーザーの首の周りに保持することが可能になり、装身具１００をネックレスまたはペンダントとして用いることができる。
【００４２】
図４は、本実施形態に係る装身具１００の他の使用例を示す概略図である。
【００４３】
本使用例においては、各真珠１０１の間に形成されるループに装身具としてのチェーン１１０を互い違いに通し、装身具１００とチェーン１１０とを組み合わせた新たな装身具を形成している。
【００４４】
なお、図３に示した使用例においては、二つのループを相互に絡めることにより、装身具１００をネックレスまたはペンダントとして用いたが、図４に示すように、各線材１０２ａ、１０２ｂの両端を開閉自在な止め金具であるクラスプ１２０に連結し、クラスプ１２０により、ネックレスまたはペンダントとしての装身具１００の着脱を行うことも可能である。
【００４５】
図５は、本実施形態に係る装身具１００のさらに他の使用例を示す概略図である。
【００４６】
本使用例においては、各真珠１０１の間に形成されるループにショール１３０を互い違いに通し、装身具１００とショール１３０とを組み合わせた新たな装身具を形成している。特に、ショール１３０に本実施形態に係る装身具１００を絡めることにより、ショール１３０が豪奢な印象を与えるものに変わっており、組み合わせによる相乗効果が発揮されている。
【００４７】
図４及び図５に示した使用例から明らかであるように、本実施形態に係る装身具１００には他の装身具を組み合わせて用いることが可能であり、ユーザーは本実施形態に係る装身具１００を単独で用いることに加えて、他の任意の装身具を組み合わせても用いることができる。このため、本実施形態に係る装身具１００は、装身具にとって重要な要素の一つであるバリエーションを増やすことを可能にしている。
【００４８】
なお、第一の実施形態に係る装身具１００においては、２本の線材１０２ａ、１０２ｂの各々は芯糸と外皮とからなる複合線状体として構成したが、それに代えて、単一のワイヤからなる線状体を用いることも可能である。
【００４９】
図６は、第一の実施形態に係る装身具１００の第一の変形例１００Ａを示す平面図である。
【００５０】
図１に示した第一の実施形態に係る装身具１００においては、各真珠１０１の間は全て２本の線材１０２ａ、１０２ｂでつながれていたが、各真珠１０１の間を全て２本の線材１０２ａ、１０２ｂでつなぐことは必ずしも必要ではなく、一組もしくは複数組の相互に隣接する真珠１０１の間のみ２本の線材１０２ａ、１０２ｂでつなぎ、他の組の隣接する真珠１０１の間は１本の線材１０２ｃでつなぐようにすることも可能である。
【００５１】
例えば、図６に示す第一の変形例に係る装身具１００Ａにおいては、装身具１００Ａの左右両端に位置する真珠１０１ａ、１０１ｂとそれらに隣接する真珠１０１との間においてのみ２本の線材１０２ａ、１０２ｂが配置されており、他の真珠１０１の間には１本の線材１０２ｃが配置されている。
【００５２】
図７は、第一の変形例に係る装身具１００Ａの使用例を示す概略図である。
【００５３】
図７に示すように、装身具１００Ａをユーザーの首の周りに掛けた後、一方のループ１０６ａの間に他方のループ１０６ｂを挿入することにより、第一の実施形態に係る装身具１００と同様に、図１８に示した止め金具９１０を用いることなく、装身具１００Ａをユーザーの首の周りに保持することが可能になり、装身具１００Ａをネックレスまたはペンダントとして用いることができる。
【００５４】
このように、各真珠１０１の間を全て２本の線材１０２ａ、１０２ｂでつなぐことは必ずしも必要ではなく、必要に応じて、２本の線材１０２ａ、１０２ｂを用いる区間を選定することができる。これにより、線材の使用量を減らすことができるとともに、製造工程の削減及び製造時間の短縮を図ることができる。
【００５５】
図８は、第一の実施形態に係る装身具１００の第二の変形例１００Ｂを示す平面図である。
【００５６】
図１に示した第一の実施形態に係る装身具１００においては、各真珠１０１の間は２本の線材１０２ａ、１０２ｂでつながれていたが、各真珠１０１の間をつなぐ線材の数は二個に限定されるものではなく、三個または四個以上の線材を用いることも可能である。
【００５７】
例えば、図８に示すように、各真珠１０１の間を３本の線材１０２ａ、１０２ｂ、１０２ｄでつなぐことも可能である。
【００５８】
第二の変形例に係る装身具１００Ｂによっても、第一の実施形態に係る装身具１００と同様の効果を得ることができる。
（第二の実施形態）
図９は、本発明の第二の実施形態に係る装身具２００を示す平面図である。
【００５９】
本実施形態に係る装身具２００においては、２本の線材１０２ａ、１０２ｂの各々にスライド体２０１が取り付けられている。本実施形態に係る装身具２００はスライド体２０１を備えている点を除いて、第一の実施形態に係る装身具１００と同様の構造を有している。
【００６０】
図１０は、スライド体２０１の縦断面図である。
【００６１】
スライド体２０１はほぼ円筒形状の金属からなり、軸線に沿って、貫通孔２０１ａが形成されている。貫通孔２０１ａの内径は線材１０２ａ、１０２ｂの外径よりもやや大きい。このため、線材１０２ａ、１０２ｂを貫通孔２０１ａの中に通すことにより、スライド体２０１は線材１０２ａ、１０２ｂに沿って自在に摺動することが可能である。
【００６２】
スライド体２０１の形状及び色は任意であり、種々のものを採用することができる。このため、ユーザーの嗜好に合わせて、形状及び色を選択することにより、装身具２００のファッション性を高めることができる。
【００６３】
なお、本実施形態においては、２本の線材１０２ａ、１０２ｂの各々に１個のスライド体２０１を配置したが、２個または３個以上のスライド体２０１を配置することも可能である。
【００６４】
さらに、２本の線材１０２ａ、１０２ｂの各々にスライド体２０１を配置することは必ずしも必要ではなく、何れか一方にのみスライド体２０１を配置することもできる。
【００６５】
図１１は、第二の実施形態に係る装身具２００の第一の変形例２００Ａを示す平面図である。
【００６６】
本変形例に係る装身具２００Ａにおいては、各真珠１０１間に単一のスライド体２０２が配置されている。
【００６７】
図１１はスライド体２０２の縦断面図である。
【００６８】
スライド体２０２はほぼ円筒形状の金属からなり、その軸線に平行に二つの貫通孔２０２ａ、２０２ｂが形成されている。貫通孔２０２ａ、２０２ｂの内径は線材１０２ａ、１０２ｂの外径よりもやや大きい。このため、線材１０２ａ、１０２ｂを貫通孔２０２ａ、２０２ｂの中にそれぞれ通すことにより、スライド体２０２は線材２０２ａ及び２０２ｂに沿って自在に摺動することが可能である。
【００６９】
このように、スライド体２０２は、２本の線材１０２ａ、１０２ｂを一つに束ねる機能も有しているため、スライド体２０２を線材２０２ａ及び２０２ｂに沿って摺動させることにより、スライド体２０２と真珠１０１との間のピッチＰを自在に変更することができる。
【００７０】
このため、例えば、図３に示したように、装身具２００Ａをユーザーの首の周りに掛け、一方のループを他方のループの中に通した後、スライド体２０２を上方にスライドさせることにより、それらのループを締め付けることができ、二つのループの絡み合いをより強固にすることができる。
【００７１】
なお、各真珠１０１の間を３本以上の線材でつないだ場合にも、スライド体２０２を適用することが可能である。この場合には、それらの線材の全てをスライド体２０２で束ねるようにしてもよく、あるいは、それらの線材のうちの２本または３本以上の線材をスライド体２０２で束ねるようにしてもよい。例えば、各真珠１０１間を４本の線材でつないだ場合には、そのうちの何れか２本だけをスライド体２０２で束ねるようにすることができる。
【００７２】
また、図１１に示した本変形例に係る装身具２００Ａにおいては、各真珠１０１の間に１個のスライド体２０２を配置したが、２個以上のスライド体２０２を配置することも可能である。
【００７３】
さらに、本変形例に係る装身具２００Ａにおいては、スライド体２０２に２個の貫通孔２０２ａ、２０２ｂを設けたが、スライド体２０２に一個の貫通孔を設け、その貫通孔に２本の線材１０２ａ、１０２ｂを通すようにしてもよい。あるいは、それとは逆に、３個以上の貫通孔を設け、そのうちの何れか２個の貫通孔に２本の線材１０２ａ、１０２ｂを通すようにしてもよい。
（第三の実施形態）
図１３は、本発明の第三の実施形態に係る装身具３００を示す平面図である。
【００７４】
本実施形態に係る装身具３００においては、２本の線材１０２ａ、１０２ｂの各々は超弾性直線記憶合金ワイヤから構成されているとともに、スライド体には相互に交差する貫通孔が設けられている。本実施形態に係る装身具３００は、これらの点を除いて、図１１に示した第一の変形例に係る装身具２００Ａと同様の構造を有している。
【００７５】
図１４は、本実施形態におけるスライド体３０１の断面図である。
【００７６】
スライド体３０１にはほぼ９０度に交差している二つの貫通孔３０１ａ、３０１ｂが形成され、それぞれに線材１０２ａ、１０２ｂが挿入されるようになっている。二つの貫通孔３０１ａ、３０１ｂは交差しているため、図１３に示すように、相互に隣接する一対の真珠１０１の間には、スライド体３０１を間に挟んで、常に二つのループ３０２ａ、３０２ｂが形成される。
【００７７】
このため、スライド体３０１を配置したことによるファッション性の向上に加えて、常に二つのループ３０２ａ、３０２ｂが形成されることによるファッション性の向上を図ることができる。
【００７８】
さらに、本実施形態に係る装身具３００においては、各線材１０２ａ、１０２ｂは超弾性直線記憶合金ワイヤからなるものであるため、各線材１０２ａ、１０２ｂがスライド体３０１により二つのループ３０２ａ、３０２ｂを形成するように曲線状に曲げられているにしても、通常のワイヤのように撓むことがないため、スライド体３０１の摺動が妨げられることはない。
（第四の実施形態）
図１５（Ａ）は、本発明の第四の実施形態に係る装身具４００の部分的な断面図である。
【００７９】
本実施形態に係る装身具４００においては、第一の実施形態に係る装身具１００における真珠１０１に代えて第一スライド体４０１を用い、さらに、止め金具１０３に代えて第二スライド体４０２を用いる。本実施形態に係る装身具４００は、これらの点を除いて、第一の実施形態に係る装身具１００と同一の構成を有する。
【００８０】
図１５（Ａ）に示すように、第一スライド体４０１には、その軸線方向に延びる二つの貫通孔４０１ａ、４０１ｂが形成されており、第二スライド体４０２には、その軸線方向に延びる貫通孔４０２ａが形成されている。二つの貫通孔４０１ａ、４０１ｂの間のピッチは貫通孔４０２ａの直径よりも大きく設定されている。
【００８１】
先ず、左側の第二スライド体４０２の貫通孔４０２ａに２本の線材１０２ａ、１０２ｂを通した後、線材１０２ａは貫通孔４０１ａに、線材１０２ｂは貫通孔４０１ｂにそれぞれ通す。その後、２本の線材１０２ａ、１０２ｂを右側の第二スライド体４０２の貫通孔４０２ａに通す。
【００８２】
次いで、二つの第二スライド体４０２を線材１０２ａ、１０２ｂに沿って第一スライド体４０１の方向にスライドさせ、図１５（Ｂ）に示すように、二つの第二スライド体４０２を第一スライド体４０１にほぼ密着させる。すなわち、二つの第二スライド体４０２で第一スライド体４０１を左右から挟み込む。
【００８３】
二つの貫通孔４０１ａ、４０１ｂの間のピッチは貫通孔４０２ａの直径よりも大きく設定されているため、２本の線材１０２ａ、１０２ｂは第一スライド体４０１と第二スライド体４０２との間において屈曲した状態で固定される。すなわち、２本の線材１０２ａ、１０２ｂは屈曲に伴う内部応力が発生した状態で固定されるため、以後、２本の線材１０２ａ、１０２ｂが緩むことはない。
【００８４】
以上のように、真珠１０１に代えて第一スライド体４０１を用いても、第二スライド体４０２により第一スライド体４０１を固定することが可能である。このため、第一スライド体４０１の外形は任意のものにすることができるので、ファッション性の高いものにすることにより、装身具としての付加価値を高めることができる。
【００８５】
なお、本実施形態に係る装身具４００においても、第二または第三の実施形態の場合と同様にスライド体２０１または２０２を用いることが可能である。
【００８６】
図１６（Ａ）は、本発明の第四の実施形態の一変形例に係る装身具４００Ａの部分的な断面図であり、図１６（Ｂ）は使用時の状態を示す断面図である。
【００８７】
本変形例に係る装身具４００Ａにおいては、第二スライド体４０２に代えて、第二スライド体４０３を用いる。第二スライド体４０３には、その軸線方向に延びる二つの貫通孔４０３ａ、４０３ｂが形成されており、第一スライド体４０１の二つの貫通孔４０１ａ、４０１ｂの間のピッチＤ１は第二スライド体４０３の二つの貫通孔４０３ａ、４０３ｂの間のピッチＤ２よりも大きく設定されている。
【００８８】
線材１０２ａは第一スライド体４０１の貫通孔４０１ａ及び第二スライド体４０３の貫通孔４０３ａに通され、線材１０２ｂは第一スライド体４０１の貫通孔４０１ｂ及び第二スライド体４０３の貫通孔４０３ｂに通される。
【００８９】
本変形例に係る装身具４００Ａによっても、図１５に示した第四の実施形態に係る装身具４００と同様の効果を得ることができる。
【００９０】
【発明の効果】
以上のように、従来の装身具においては、装身具を止めるための止め金具を必要としていたが、本発明に係る装身具によれば、そのような止め金具をもはや必要としない。
【００９１】
さらに、本発明に係る装身具は、装身具にとっては重要な要素の一つであるバリエーションを増やすことを可能にする。具体的には、ユーザーは本発明に係る装身具を単独で用いることに加えて、他の任意の装身具、特に、ユーザーが好む他の装身具を組み合わせても用いることができる。このため、本発明に係る装身具は、装身具の使用の仕方を飛躍的に増やすことができ、ユーザーの嗜好に応えることができる。
【図面の簡単な説明】
【図１】本発明の第一の実施形態に係る装身具の平面図である。
【図２】本発明の第一の実施形態に係る装身具の一部の拡大断面図である。
【図３】本発明の第一の実施形態に係る装身具の使用例を示す概略図である。
【図４】本発明の第一の実施形態に係る装身具の他の使用例を示す概略図である。
【図５】本発明の第一の実施形態に係る装身具の他の使用例を示す概略図である。
【図６】本発明の第一の実施形態に係る装身具の第一の変形例の平面図である。
【図７】本発明の第一の実施形態に係る装身具の第一の変形例の使用例を示す概略図である。
【図８】本発明の第一の実施形態に係る装身具の第二の変形例の平面図である。
【図９】本発明の第二の実施形態に係る装身具の平面図である。
【図１０】本発明の第二の実施形態に係る装身具の一部の断面図である。
【図１１】本発明の第二の実施形態に係る装身具の第一の変形例の平面図である。
【図１２】本発明の第二の実施形態に係る装身具の第一の変形例の一部の断面図である。
【図１３】本発明の第三の実施形態に係る装身具の平面図である。
【図１４】本発明の第三の実施形態に係る装身具の一部の断面図である。
【図１５】本発明の第四の実施形態に係る装身具の一部の断面図である。
【図１６】本発明の第四の実施形態の変形例に係る装身具の一部の断面図である。
【図１７】従来の装身具の平面図である。
【図１８】従来の装身具に用いる止め金具の概略図である。
【図１９】従来の装身具の使用例を示す概略図である。
【符号の説明】
１００  第一の実施形態に係る装身具
１０１  真珠
１０１ａ  貫通孔
１０２ａ、１０２ｂ、１０２ｃ、１０２ｄ  線材
１０３  止め金具
１０３ａ、１０３ｂ  貫通孔
１０３ｃ  壁部
１０４  金属線
１０５  コイル状金属体
１０６ａ、１０６ｂ  ループ
１１０  チェーン
１２０  クラスプ
１３０  ショール
１００Ａ  第一の実施形態に係る装身具の第一の変形例
１００Ｂ  第一の実施形態に係る装身具の第二の変形例
２００  第二の実施形態に係る装身具
２０１  スライド体
２０１ａ  貫通孔
２００Ａ  第二の実施形態に係る装身具の変形例
２０２  スライド体
２０２ａ、２０２ｂ  貫通孔
３００  第三の実施形態に係る装身具
３０１  スライド体
３０１ａ、３０１ｂ  貫通孔
４００  第四の実施形態に係る装身具
４０１  第一スライド体
４０２  第二スライド体
４００Ａ  第四の実施形態に係る装身具の変形例
４０３  第二スライド体
【図１】
2004223146.tif 000003
【図２】
2004223146.tif 000004
【図３】
2004223146.tif 000005
【図４】
2004223146.tif 000006
【図５】
2004223146.tif 000007
【図６】
2004223146.tif 000008
【図７】
2004223146.tif 000009
【図８】
2004223146.tif 000010
【図９】
2004223146.tif 000011
【図１０】
2004223146.tif 000012
【図１１】
2004223146.tif 000013
【図１２】
2004223146.tif 000014
【図１３】
2004223146.tif 000015
【図１４】
2004223146.tif 000016
【図１５】
2004223146.tif 000017
【図１６】
2004223146.tif 000018
【図１７】
2004223146.tif 000019
【図１８】
2004223146.tif 000020
【図１９】
2004223146.tif 000021
【手続補正書】
【提出日】平成15年2月6日(2003.2.6)
【手続補正１】
【補正対象書類名】図面
【補正対象項目名】全図
【補正方法】変更
【補正の内容】
【図１】
2004223146.tif 000022
【図２】
2004223146.tif 000023
【図３】
2004223146.tif 000024
【図４】
2004223146.tif 000025
【図５】
2004223146.tif 000026
【図６】
2004223146.tif 000027
【図７】
2004223146.tif 000028
【図８】
2004223146.tif 000029
【図９】
2004223146.tif 000030
【図１０】
2004223146.tif 000031
【図１１】
2004223146.tif 000032
【図１２】
2004223146.tif 000033
【図１３】
2004223146.tif 000034
【図１４】
2004223146.tif 000035
【図１５】
2004223146.tif 000036
【図１６】
2004223146.tif 000037
【図１７】
2004223146.tif 000038
【図１８】
2004223146.tif 000039
【図１９】
2004223146.tif 000040